(57)【要約】【課題】装着時の突っ張り感をなくすと共に装着者の動きに追随して変形し易くすることによって着心地がよいヒップガードを提供する。【解決手段】臀部に装着され、装着時に外側となる表地４１と該表地よりも内側に設けられる発泡シート４３とを有する本体部２を備えるヒップガード１において、前記発泡シート４３は、臀部の形状に合わせて複数に分割されていることを特徴とする。【選択図】図１
2009013540.tif 000002
【特許請求の範囲】
【請求項１】
臀部に装着され、装着時に外側となる表地と該表地よりも内側に設けられる発泡シートとを有する本体部を備えるヒップガードにおいて、前記発泡シートは、臀部の形状に合わせて複数に分割されていることを特徴とするヒップガード。
【請求項２】
前記発泡シートは、臀部の正面と両側面とのそれぞれの間に対応する位置にて上下方向に分割されていることを特徴とする請求項１に記載のヒップガード。
【発明の詳細な説明】
【技術分野】
【０００１】
本発明は、例えば磯釣り等の際に装着者の臀部を保護するために用いられるヒップガードに関する。
【背景技術】
【０００２】
従来、この種のヒップガードとしては、装着者の臀部を覆う本体部が例えばクロロプレン合成ゴム等からなるものが知られている。かかるヒップガードは、装着者（釣人）が磯場等に着座した際に、臀部が濡れてしまうのを防止すると共に磯場の凹凸等から臀部を保護することができるものである。
【０００３】
ところで、この種のヒップガードにおいては、その強度や装着性等を向上させるために、太腿ベルトや腰ベルト等を本体部とは別体で備える場合がある。この場合、かかる太腿ベルトや腰ベルト等を本体部に確実に取り付ける（縫着する）ために、本体部を多層構造とする。そして、かかる本体部の外層となる表地に前記太腿ベルトや腰ベルト等を縫着すると共に該表地の内側全域に発泡シートを設ける。このような構成とすることにより、強度や装着性を向上させつつ臀部を好適に保護でき、しかも軽くて使い易くなるという利点がある。（下記特許文献１参照）
【特許文献１】特開２００４−２３２１４１号公報
【発明の開示】
【発明が解決しようとする課題】
【０００４】
しかしながら、上記構成のヒップガードにあっては、発泡シートが比較的厚手であるため剛性があり、しかも、装着する際にはかかる発泡シートを臀部の形状に沿うように湾曲等させて装着するものであるため、発泡シートの復元力によって装着者が突っ張り感を感じるだけでなく発泡シートが装着者の動きに追随して変形し難く、従って着心地がよくない。
【０００５】
そこで、本発明は、上記実情に鑑みてなされ、装着時の突っ張り感をなくすと共に装着者の動きに追随して変形し易くすることによって着心地がよいヒップガードを提供することを課題とする。
【課題を解決するための手段】
【０００６】
本発明は、上記課題を解決すべくなされたものであり、本発明に係るヒップガードは、臀部に装着され、装着時に外側となる表地と該表地よりも内側に設けられる発泡シートとを有する本体部を備えるヒップガードにおいて、前記発泡シートは、臀部の形状に合わせて複数に分割されていることを特徴とする。
【０００７】
該構成のヒップガードにあっては、前記発泡シートが臀部の形状に合わせて複数に分割されているので、当該ヒップガードを装着するに際し、発泡シートが臀部の形状に合わせて主に分割位置にて屈曲や湾曲して変形し、発泡シートに復元力が生じない。
【０００８】
また、装着者が例えば歩行や着座等して動いた際にも、発泡シートがその動きに合わせて主に分割位置にて屈曲や湾曲して変形する。
【０００９】
特に、前記発泡シートは、臀部の正面と両側面とのそれぞれの間に対応する位置にて上下方向に分割されていることが好ましい。
【発明の効果】
【００１０】
このように、本発明にかかるヒップガードにあっては、前記発泡シートが臀部の形状に合わせて複数に分割されているので、装着状態での発泡シートに生ずる復元力をなくして突っ張り感をなくすことができ、また、発泡シートが装着者の動きに合わせて変形して当該動きに追随することができる結果、着心地がよいという効果を奏する。
【発明を実施するための最良の形態】
【００１１】
以下、本発明に係るヒップガードの一実施形態について図面を参酌しつつ説明する。
図１乃至３に、本実施形態におけるヒップガード１が示されている。尚、図１は、ヒップガード１を装着者Ｈの臀部に装着した状態を示す図であり、図２は、展開したヒップガード１の表面側を示す図であり、図３は、展開したヒップガード１の裏面側を示す図である。
【００１２】
該ヒップガード１は、装着者Ｈの少なくとも臀部を覆うように装着され、装着時に外側となる表地４１と該表地４１よりも内側に設けられる発泡シート４３とを有する本体部２を備えてなり、例えば磯場等に装着者Ｈが着座した際に、磯場の凹凸等によって装着者Ｈの臀部が傷付くのを防止するためのものである。
【００１３】
本体部２は、装着者Ｈの少なくとも臀部を覆うように構成されており、本実施形態では、装着者Ｈの腰部と臀部とを覆うように構成されている。この本体部２は、装着者Ｈの腰部を覆うことができる腰部対応部３と、装着者Ｈの臀部全体を覆うことができる臀部対応部４と、前記腰部対応部３と前記臀部対応部４とを連結する連結部５とを備えてなり、その周縁部には全周に亘って伸縮自在な縁取りテープ６が設けられている。
【００１４】
腰部対応部３は、装着者Ｈの腰部に巻き付けることができるように帯状に形成されている。具体的には、腰部対応部３は、図２及び３に示すように、左右方向に長い帯状体であり、その左右方向中央部が両端部よりも幅広となっている。より詳細には、腰部対応部３の上縁３１は、その左右方向中央部が上に凸の曲線状となっており、下縁３２は、その左右方向中央部が下に凸の曲線状となっている。
【００１５】
腰部対応部３は、表地３３と裏地３４との二層構造であり、表地３３は例えばナイロン織布等の耐摩耗性を有する生地である一方で、裏地３４は通気性を有する生地で、例えばその厚さ方向（法線方向）だけでなく面方向にも通気性を有する生地である。本実施形態では、裏地３４は、所謂ダブルラッセルメッシュであり、二枚の立体構造状ネット４２１を重ね合わせて構成されている。尚、裏地３４は、一枚の立体構造状ネット４２１にて構成することもできる。ここで、立体構造状ネット４２１とは、その厚さ方向（法線方向）だけでなく面方向にも通気性を有する生地であり、具体的には、各々メッシュ状に形成される表編地と裏編地とをその厚さ方向に間隔を空けて配置し、両編地を連結糸で連結して構成される編地であり、軽量でありながら通気性を向上した構造となっている。また、前記厚さ方向と直角方向（編地の面方向）にも連結糸間に貫通孔が形成されている。
【００１６】
また、腰部対応部３の左右方向略中央部には、図２に示すように、装着者Ｈの腰部を保護する補強部７が設けられている。具体的には、補強部７は、腰部対応部３の表面側の左右方向略中央部において、腰部対応部３の上縁３１から下縁３２に亘って設けられている。この補強部７は、前記腰部対応部３よりも縦方向にたわみにくく構成されたものであり、例えばエチレン酢酸ビニル共重合体（ＥＶＡ）やポリ塩化ビニル（ＰＶＣ）やポリウレタン（ＰＵ）等の可撓性樹脂からなる略２〜３ｍｍ厚の板状体である。また、補強部７には、上下方向に延びるリブ７１（本実施形態では、上下方向に延びる３本のリブ７１）が設けられている。
【００１７】
このように、上下方向に延びるリブ７１を備える補強部７が腰部対応部３に直接固定されているため、補強部７が装着者Ｈの腰部の形状に沿ってたわみやすくなり、該補強部７による腰部の保護効果が得られやすいものとなる。しかも、該補強部７が腰部の形状に沿ってたわむと、装着前に平面的であった補強部７が立体的な形状となり、強度が増してより一層腰部の保護効果が得られる。
【００１８】
更に、腰部対応部３には、装着者Ｈの腰部に巻き付けて本体部２を固定するための腰ベルト８が設けられている。具体的には、腰ベルト８は、腰部対応部３の表面側に設けられており、腰部対応部３の左右両端部にそれぞれ一対設けられている。尚、各々の腰ベルト８には、互いに係脱自在に係合する一対のバックル８１，８１が設けられている。
【００１９】
また更に、腰部対応部３には、その左右方向の長さを調節する調節機構９が設けられている。この調節機構９は、補強部７を介して左右一対設けられており、その長手方向の中央部分に面ファスナの一方側Ｆ１が設けられ且つその両端部が前記補強部７と腰部対応部３の表地３３との間に狭持された伸縮自在なバンド９１と、腰部対応部３の表地３３の前記腰ベルト８と補強部７との間の領域に設けられる面ファスナの他方側Ｆ２とを備えてなる。この調節機構９は、前記バンド９１を引っ張って或いは緩めて面ファスナＦ１，Ｆ２の係止位置を変更することによって腰部対応部３の左右方向の長さを調節することができるように構成されている。
【００２０】
また、腰部対応部３には、図３に示すように、その裏面側に滑り止めシート１０が設けられている。この滑り止めシート１０は、例えばＰＶＣからなるメッシュシートであり、腰部対応部３の裏地３４の左右方向略中央部分に設けられている。かかる滑り止めシート１０が設けられていると、装着時に腰部対応部３が腰部から下方へ位置ずれし難くなり、装着性が向上する。
【００２１】
装着者Ｈの臀部を覆うことができる前記臀部対応部４は、図４及び５に示すように、表地４１と、該表地４１の裏側に設けられる裏地４２と、表地４１と裏地４２との間に設けられる発泡シート４３と、該発泡シート４３と裏地４２との間に設けられ発泡シート４３全体を覆う隠蔽シート４４とで構成される多層構造にて構成されている。
【００２２】
表地４１は、例えばナイロン織布等の耐摩耗性を有する生地であり、裏地４２は、通気性を有する生地、例えば立体構造状ネット４２１等の厚さ方向及び面方向に通気性を有する生地である。本実施形態では、裏地４２は、所謂ダブルラッセルメッシュであり、二枚の立体構造状ネット４２１を重ね合わせて構成されている。尚、裏地３４は、一枚の立体構造状ネット４２１にて構成することもできる。また、発泡シート４３は、例えばＰＶＣシート等のクッション性を有する生地であり、隠蔽シート４４は、例えば平織の薄地の織物（所謂タフタ）等の隠蔽性を有する生地である。尚、隠蔽シート４４は、裏地４２を介して発泡シート４３が見えてしまわないように発泡シート４３を隠蔽するものである。また、裏地４２の厚さは表地４１の厚さよりも厚く、また発泡シート４３の厚さは裏地４２の厚さよりも厚くなっている。
【００２３】
また、臀部対応部４は、装着者Ｈの臀部全体、つまり臀部の正面だけでなく両側面も覆うことができるように構成されている。具体的には、臀部対応部４は、臀部の正面を覆うための正面部１１と、臀部の側面を覆うための側面部１２とを備えてなる。
【００２４】
正面部１１は、その上縁１１１（臀部対応部４の上縁）が下に凸の曲線状に形成されている。また、正面部１１の下端部１１２（臀部対応部４の下端部）は、臀部と太腿部との間の領域（所謂臀溝）を覆うことができるように下方に延設されており、その左右中央部には、切欠き部１１３が形成されている。このような切欠き部１１３が設けられることにより、切欠き部１１３の左右両側の部分１１２，１１２それぞれを左右それぞれの所謂臀溝に正確に対応させて装着することができ、切欠き部１１３の左右両側の部分１１２，１１２それぞれが左右の太腿部の各々の動きに個別に追随するため、装着性及び装着者Ｈの動きに対する追随性がより一層向上する。
【００２５】
臀部の側面を覆うことができる側面部１２は、正面部１１の左右それぞれの側縁から左右方向外方へ向けて舌片状に一対延設されており、正面部１１の上下方向中央部よりも下方側に配置されている。かかる側面部１２と正面部１１との間には、上下方向に沿う第１縫着線１３が形成されている。
【００２６】
この第１縫着線１３は、表地４１と裏地４２とを縫合することによって形成されており、従って、表地４１と裏地４２との間の隙間である臀部対応部４の内部は、第１縫着線１３によって仕切られている。尚、かかる第１縫着線１３は、その上端部が下端部よりも左右方向外方側となるように形成されており、また、装着時に臀部の正面と側面との境界領域に位置するように配設されている。
【００２７】
ここで、前記発泡シート４３は、前記第１縫着線１３に対応する位置で分割されている。即ち、発泡シート４３は、正面部１１だけでなく左右の両側面部１２にも対応するように設けられており、第１縫着線１３に対応する位置で且つ第１縫着線１３に沿う方向で分割されている。換言すると、発泡シート４３は、臀部対応部４の略全域に亘って設けられており、正面部１１と各側面部１２との境界領域にて、上下方向に分割されている。即ち、発泡シート４３は、装着者Ｈの臀部の正面及び両側面を覆うことができるように構成されており、臀部の正面と両側面とのそれぞれの間に対応する位置（換言すると、臀部の正面と側面との境界領域に対応する位置）にて上下方向に分割されている。そして、この分割にかかる分割方向は、上から下へ向けて左右方向外方側から中央側へ向かう方向である。即ち、分割にかかる分割線は、その上端部が下端部よりも左右方向外方側となっている。
【００２８】
尚、本実施形態では、側面部１２の左右方向略中央領域に第２縫着線１４が上下方向に設けられており、第１縫着線１３と第２縫着線１４との間には発泡シート４３が設けられている一方で、第２縫着線１４よりも左右方向外方側には、発泡シート４３が設けられていない。この第２縫着線１４よりも左右方向外方側の領域には、後述の太腿ベルト１５の一端部１５ａが表地４１及び裏地４２の双方に縫着されている。
【００２９】
また、前記側面部１２には、その表面側に太腿ベルト１５が設けられている。かかる太腿ベルト１５は、装着時に装着者Ｈの太腿に巻き付けられて本体部２を固定するためのもので、左右に一対設けられている。該太腿ベルト１５は、その一端部１５ａが側面部１２の先端部（左右方向の外方側端部）に縫着されており、前記切欠き部１１３へ向けて左右方向に延設されている。
【００３０】
太腿ベルト１５は、非伸縮性の主ベルト１６と、主ベルト１６の内側所定位置に設けられその長手方向に伸縮可能な伸縮ベルト１７とを備えてなる。具体的には、伸縮ベルト１７は、主ベルト１６の所定区間を外側に弛ませるように該区間の両端位置を架橋すべく設けられている。尚、主ベルト１６は、所定幅の織物が使用されるが、特に強度の大きい編物が好ましく、例えば、ポリプロピレンやポリエステル、アクリル、ナイロン等の織テープが使用される。また、伸縮ベルト１７は、伸縮性を有する素材、例えば、ゴムベルトが使用される。
【００３１】
また、主ベルト１６の両端にはそれぞれ互いに係脱自在に係合するバックル１８，１８が取り付けられている。また、前記主ベルト１６には、例えばフローティングベスト等に設けられている股紐（図示しない）を連結するための股紐挿通部１９が形成されている。該股紐挿通部１９は、環状に形成されていて、主ベルト１６の例えば先端部に一箇所設けられている。この股紐挿通部１９に前記股紐を挿通することで股間に股紐を通す必要がなくなる。
【００３２】
連結部５は、前記腰部対応部３と前記臀部対応部４とを上下に連結する、具体的には、腰部対応部３の下端部と臀部対応部４の上端部とを連結するものであり、少なくとも上下方向に伸縮自在である。本実施形態では、連結部５は、例えばネオプレーン等の伸縮性を有する生地からなり、上下方向だけでなく左右方向或いは斜め方向にも伸縮自在となっている。
【００３３】
以上の構成からなるヒップガード１は、図１に示すように、腰部対応部３を腰部に当てると共に臀部対応部４を臀部に当て、腰ベルト８を腰部に巻き付けると共に各太腿ベルト１５をそれぞれの太腿部に巻き付けることによって装着者Ｈに固定（装着）される。
【００３４】
ここで、臀部の正面だけでなく両側面も覆うことができる発泡シート４３は、臀部の正面と両側面とのそれぞれの境界領域にて上下方向に分割されているので、ヒップガード１を装着すべく臀部対応部４の正面部１１を臀部の正面にあてがって各側面部１２，１２を臀部の各側面にあてがうようにすると、発泡シート４３が分割位置を起点にして裏面側に屈曲等して臀部の正面と側面とを覆うように変形し、臀部対応部４が無理なく臀部の形状に沿った状態となる。このように、発泡シート４３がその分割位置を起点に屈曲等するため発泡シート４３に復元力が生じず、突っ張り感をなくすことができるので装着性がよい。
【００３５】
また、装着者Ｈが例えば歩行や着座等して動いた場合には、発泡シート４３は、その動きに合わせて主に分割位置にて屈曲や湾曲して変形する。つまり、発泡シート４３が臀部の正面を覆う部分と臀部の側面を覆う部分とに分割されているため、各々の部分が個々に装着者Ｈの動作に追随し装着者Ｈの動作に対する追随性がよい。
【００３６】
このように、本実施形態におけるヒップガード１は、装着性及び追随性がよいので着心地が非常によい。
【００３７】
また、発泡シート４３の分割方向が上から下へ向けて左右方向外方側から中央側へ向かう方向である、つまり、発泡シート４３を分割するための分割線が、その上端部が下端部よりも左右方向外方側となっているので、装着状態において分割位置が装着者Ｈの臀部の正面と側面との間の領域に沿った位置となり、より一層装着性が向上する。
【００３８】
更に、第１縫着線１３が表地４１と裏地４２とを縫合することによって形成されており、該第１縫着線１３に沿って発泡シート４３を分割している、即ち、表地４１と裏地４２とが縫合されて厚みが薄くなっている部分に沿って発泡シート４３を分割しているので、分割位置を起点とした発泡シートの屈曲等がスムーズとなり、装着性及び装着者Ｈの動きに対する追随性が向上し、より着心地がよくなる。
【００３９】
また更に、正面部１１の上縁１１１（臀部対応部４の上縁）が下に凸の曲線状に形成されているため、臀部対応部４にて臀部を覆ったときに上縁部が臀部に密着しやすくなり、更に装着性が向上する。
【００４０】
また、腰部対応部３と臀部対応部４とを連結する連結部５は、少なくとも上下方向に伸縮可能であるので、例えば装着者Ｈが腰を屈めた或いは伸ばしたとき等に連結部５が伸縮し、腰部対応部３と臀部対応部４とが腰部及び臀部からずれ難くなる。よって、装着者Ｈの動きに対する追随性が一層向上する。
【００４１】
尚、本実施形態では、発泡シート４３が臀部の正面と両側面との間に対応する位置にて上下方向に分割される場合、即ち、分割位置が臀部の正面と両側面との境界領域に対応する位置であり、分割方向が上下（縦）方向であり、しかも分割個数が３つである場合について説明したが、発泡シート４３の分割位置、分割方向、および分割個数は、特に限定されず、例えば、発泡シート４３が、臀部の上下方向略中央部に対応する位置（臀部の頂部）を通る左右方向に沿って左右（横）方向に分割される場合でもよく、或いは、上下方向の分割と左右方向の分割とで格子状に分割される場合であってもよい。何れにしても、発泡シート４３が装着者Ｈの臀部の形状に合わせて複数に分割されていることにより、装着性と装着者Ｈの動きに対する追随性とを向上させて着心地を良くすることができる。
【００４２】
更に、本実施形態では、臀部対応部４の上縁１１１が下に凸の曲線状に形成されている場合について説明したが、これに限らず、例えば左右方向に直線状に形成される場合や上に凸の曲線状又は折れ線状であってもよい。
【００４３】
尚、必要に応じて、正面部１１には、その形状を立体的な形状とするためのタック１１４を設けることもできる。具体的には、図６（Ａ）及び（Ｂ）に示すように、正面部１１の表地４１及び裏地４２に、臀部の正面下部に対応する位置で且つ左右方向略中央の位置にタック１１４を設ける。この場合、タック１１４は、正面部１１の臀部の正面下部に対応する位置で且つ左右方向略中央の位置を起点に、正面部１１の面方向に沿って少なくとも１つ形成される。換言すると、タック１１４は、前記位置を起点に、正面部１１の面方向且つ放射方向に少なくとも１つ形成される。より詳細には、タック１１４は、前記位置を起点に、上側ほど互いに離間するよう斜め上方へ向けて左右に一対設けられる。
【００４４】
このようにタック１１４が設けられていることにより、本体部２（特に、臀部対応部４）は、ヒップガード１を装着していない状態でも裏面側が内側となるように湾曲した立体的な形状となり、より臀部の形状に沿った状態でヒップガード１を装着することができ、装着性が更に向上する。尚、タック１１４には、ダーツ、ギャザー、シャーリングも含まれる。
【００４５】
尚、タック１１４は、直線状に形成しても曲線状に形成しても何れであってもよい。また、タック１１４は、表地４１または裏地４２の何れか一方にのみ設ける場合であってもよい。
【図面の簡単な説明】
【００４６】
【図１】本発明の一実施形態に係るヒップガードの装着状態を示す斜視図。
【図２】展開したヒップガードの表面側を示す展開図。
【図３】展開したヒップガードの裏面側を示す展開図。
【図４】図３のＡ−Ａ線断面図。
【図５】図３のＢ−Ｂ線断面図。
【図６】本発明の他の実施形態に係るヒップガードを示す部分正面図であり、（Ａ）はヒップガードの表面側を示し、（Ｂ）はヒップガードの裏面側を示す。
【符号の説明】
【００４７】
１…ヒップガード、２…本体部、３…腰部対応部、４…臀部対応部、５…連結部、６…縁取りテープ、７…補強部、８…腰ベルト、９…調節機構、１０…滑り止めシート、１１…正面部、１２…側面部、１３…第１縫着線、１４…第２縫着線、１５…太腿ベルト、１６…主ベルト、１７…伸縮ベルト、１８，８１…バックル、１９…股紐挿通部、３３，４１…表地、３４，４２…裏地、４３…発泡シート、４４…隠蔽シート、７１…リブ、９１…バンド、１１３…切欠き部、１１４…タック、４２１…立体構造状ネット、Ｆ１，Ｆ２…面ファスナ、Ｈ…装着者
【図１】
2009013540.tif 000003
【図２】
2009013540.tif 000004
【図３】
2009013540.tif 000005
【図４】
2009013540.tif 000006
【図５】
2009013540.tif 000007
【図６】
2009013540.tif 000008